(57)【特許請求の範囲】
【請求項１】
第一の層及び前記第一の層を少なくとも部分的にカバーする粒子バリア層を含む、着用者用フードであって、
前記粒子バリア層は着用者に向けられた内側表面及び前記内側表面の反対側の粒子収集面を含み、
前記第一の層は第一のシームによって結合された少なくとも２つのパネルを含み、
前記粒子バリア層は第二のシームによって結合された少なくとも２つのパネルを含み、
前記第一のシームは前記第二のシームとオフセットされており、そして
前記フードは、
ａ）顔面開口部を画定している第一の周縁を含む頭部であって、前記第一の層及び粒子バリア層は前記第一の周縁の少なくとも一部に沿って結合されている、頭部と、
ｂ）首開口部を画定している第二の周縁を含むのど当て部であって、前記第一の層及び粒子バリア層は前記第二の周縁の少なくとも一部に沿って結合されている、のど当て部と、
を含み、
前記第一の層は前記粒子バリア層と表面にわたって結合されておらず、
前記粒子収集面は前記第一の層と前記粒子バリア層との間のアパチャを介してアクセス可能である、フード。
【請求項２】
第一の層及び前記第一の層を少なくとも部分的にカバーする粒子バリア層を含む、着用者用フードであって、
前記粒子バリア層は着用者に向けられた内側表面及び前記内側表面の反対側の粒子収集面を含み、
前記第一の層は第一のシームによって結合された少なくとも２つのパネルを含み、
前記粒子バリア層は第二のシームによって結合された少なくとも２つのパネルを含み、
前記第一のシームは前記第二のシームとオフセットされており、そして
前記フードは、
ａ）顔面開口部を画定している第一の周縁を含む頭部であって、前記第一の層及び粒子バリア層は前記第一の周縁の少なくとも一部に沿って結合されている、頭部と、
ｂ）首開口部を画定している第二の周縁を含むのど当て部であって、前記第一の層及び粒子バリア層は前記第二の周縁の少なくとも一部に沿って結合されている、のど当て部と、
を含み、
前記フードは、内側表面、及び、前記顔面開口部の第一の周縁に隣接して前記内側表面に接着されている耐熱性エラストマーを含み、
前記第一の層は前記粒子バリア層と表面にわたって結合されておらず、
前記粒子収集面は前記第一の層と前記粒子バリア層との間のアパチャを介してアクセス可能である、フード。
【請求項３】
前記第一の層はテキスタイル層を含む、請求項１記載のフード。
【請求項４】
前記フードは、内側表面、及び、前記顔面開口部の第一の周縁に隣接して前記内側表面に接着されている耐熱性エラストマーを含む、請求項１記載のフード。
【請求項５】
前記第一の層は前記粒子収集面に隣接しており、そして前記のど当て部及び／又は頭部は少なくとも１つのアパチャを含み、前記粒子バリア層の前記粒子収集面へのアクセスを提供する、請求項１記載のフード。
【請求項６】
前記アパチャは前記第一の層と前記粒子バリア層との間の前記第二の周縁の少なくとも一部に沿った位置にある、請求項５記載のフード。
【請求項７】
前記アパチャは前記粒子収集面が前記フードの外側になるように前記フードを反転させるのに十分な寸法を有する、請求項５記載のフード。
【請求項８】
前記粒子バリア層は、使用時に、前記粒子収集面が前記フードの外側になるように向けられている、請求項１記載のフード。
【請求項９】
前記粒子バリア層の前記内側表面は基材にラミネート化されている、請求項１記載のフード。
【請求項１０】
前記フードは、
ｉ）前記粒子バリア層が前記第一の層と第二の層の間にある、第二の層、又は、
ｉｉ）前記第一の層が前記粒子バリア層と第二の層との間にある、第二の層、又は、
ｉｉｉ）前記第一の層及び前記粒子バリア層が第二の層と第三の層との間にある、第二の層及び第三の層、
をさらに含む、請求項１記載のフード。
【請求項１１】
前記層のうちの少なくとも１つの層は難燃性テキスタイル層である、請求項１記載のフード。
【請求項１２】
前記粒子バリア層は、スティッチング、接着剤、ラミネート化又はそれらの組み合わせによって、前記第二の周縁の一部に沿って前記第一の層及び／又は少なくとも１つの他の層に結合されている、請求項１記載のフード。
【請求項１３】
ｉ）前記第一の層及び前記第二の層は前記第二の周縁の少なくとも一部に沿って互いに結合されており、又は、
ｉｉ）前記第一の層、第二の層及び第三の層は前記第二の周縁の少なくとも一部に沿って互いに結合されている、
請求項１０記載のフード。
【請求項１４】
前記フードは２つ以上の粒子バリア層を含む、請求項１記載のフード。
【請求項１５】
隣接している前記粒子バリア層、第一の層、第二の層及び／又は第三の層のうちの少なくとも２つの層は分離可能である、請求項１０記載のフード。
【請求項１６】
前記粒子バリア層はフルオロポリマー材料、ポリウレタン材料又はポリエステル材料を含む、請求項１記載のフード。
【請求項１７】
前記少なくとも１つのアパチャは、スリット、折り目、オーバーハング、ボタン、フックアンドループクロージャ、スナップ、ベルクロ（登録商標）ファスナー又はそれらの組み合わせを含む閉止可能な開口部である、請求項１記載のフード。
【請求項１８】
前記顔面開口部を画定している前記周縁は顔面開口部が顔面マスク上に適切に構成されていることの視覚インジケータを含む、請求項１記載のフード。
【請求項１９】
前記フードの外側表面は色を備え、
ｉ）前記視覚インジケータは前記フードの外側表面の色とは異なる色を備えたシームであるか、又は、
ｉｉ）前記顔面開口部の周縁は前記フードの外側表面の色とは異なる色の糸を用いて縫製されたシームを備えている、請求項１８記載のフード。
【発明の詳細な説明】
【技術分野】
【０００１】
関連出願の相互参照
本出願は２０１７年１月６日に出願された米国仮特許出願第６２／４４３，０５７号に対する優先権を主張し、その全体は参照により本明細書に取り込まれる。
【０００２】
分野
この分野は、一般に、可撓性保護フード、より詳細には、エアロゾル及び可能性として蒸気を含む粒状物の侵入を防止又は抑制するための粒子バリア層を含む可撓性フードに関する。フードは着用者が煙、エアロゾル及び他の粒状物にさらされる環境において使用することができる。
【背景技術】
【０００３】
背景
保護特性を有する、特に衣類用の布帛は望ましい。それらの布帛は、典型的に、消防用などの作業環境での保護のための、いわゆる個人用保護具（ＰＰＥ）に使用される。消防用保護服又はＰＰＥの製造における現行技術には、自給式呼吸器（ＳＣＢＡ）のマスクのための開口部を有するユーザー頭部、及び、消防士のコートの上に延びるのど当て部にわたって広がる防護フードが含まれる。一般に、フードは２層の編布材料から形成されている。現在、これらのフードは、煙中の粒状物などの粒状物がフードの内部に侵入し、着用者を潜在的に危険な粒状物にさらしうる。
【０００４】
フード材料を通過して、着用者の皮膚に接触しうるフードの内部へ粒状物が侵入するのを低減するための粒状物バリアを含むフードも提案されている。粒状物バリアを有する既知のフードは多くの欠点に悩まされる。例えば、粒状物バリアは硬すぎ、着用するのが不快になり、耐久性に欠けることがあり、及び／又は音の透過性を損なうことがある。さらに、バリアはフードに対して内側にあり、フードを不可逆的に分解したり損傷させたりすることなしに、見ることができず又はアクセスすることができない。幾つかのバリア層は他の布帛よりも耐久性が低く、そして引き裂きが穴を生じさせることがある。穴は、着用者を堆積した粒状物にさらす可能性がある。バリア層にアクセスできない場合には、着用者は、バリアがクリーンで、無傷で、安全に使用できるかどうか、又は、バリアが粒状物で閉塞され、引き裂かれ又は別の方法で損傷されそして信頼性がないかどうかを決定することができない。さらに、冬季及び山岳スポーツなどの寒冷環境におけるヘッドカバリングもまた、１層又は２層の編物から形成される。悪天候条件下において、これらのフードはフードの内部に雪及びみぞれ粒状物が侵入するのを可能にし、着用者を冷たさにさらすことができる。
【０００５】
米国特許第６，７６３，８３５号明細書は、呼吸用の空気からの空気輸送性生物学的薬剤及び／又は化学的薬剤をろ過するための呼吸用マスクアセンブリを記載しており、前記マスクアセンブリは周囲空気から着用者の頭部及び頸部を少なくともシールしそして包囲するように調整された外側フード、着用者に視認性を提供するために外側フードに取り付けられた少なくとも１つの透明レンズ、外側フードに取り付けられた少なくとも１つのフィルタアセンブリ（前記フィルタアセンブリはそれを通過する空気からの空気輸送性生物学的薬剤及び／又は化学的薬剤をろ過するように調整されている）、外側フード内にあるエアフローレギュレータ（前記エアフロ―レギュレータは呼気を周囲に排出するように調整されたアウトレット及び空気を内部に引き込むように調整されたインレットを含む）、及び、エアフローレギュレータインレット中に引き込むために、周囲から透明レンズの内側表面にフィルタアセンブリを通して、ろ過された空気を輸送するための、外側フードにある空気輸送手段を含む。
【０００６】
米国特許出願公開第２０１２／０１７４２９６号明細書は化学的及び／又は生化学的耐性防護服を記載しており、前記防護服は、胴体部分（前記胴体部分は着用者の胴に向けて自己締め付け可能である蒸気スカートを有する）及びスリーブを有する上部、及び、捲り上げウエストバンドエクステンション、ウエストバンド、座部、及び、左及び右脚部を有する下部（前記捲り上げウエストバンドエクステンションは着用者が下部を装着したときに、捲り上げウエストバンドエクステンションの裏面を露出させるようにウエストバンドを捲り上げることができる）を含む。着用者が上部及び下部を着たときに、蒸気スカートは捲り上げウエストバンドの裏面に対して配置され、ガスに対して概して不透過性であるシールとして自己締め付けされる。
【０００７】
したがって、着用者にさらされうる粒状物がフードの内部に侵入するのを防止又は抑制する粒子バリア層を含む保護フードの必要性がある。
【発明の概要】
【発明が解決しようとする課題】
【０００８】
要旨
本明細書に記載の実施形態は、粒状物の侵入を低減し又は抑制するための粒子バリア層を含む保護フードを提供する。
【課題を解決するための手段】
【０００９】
本明細書に記載の１つの実施形態は、第一の層及び前記第一の層を少なくとも部分的にカバーする粒子バリア層を含むフード、例えば、着用者のための保護フードである。粒子バリア層は、着用者に向かう内側表面と、前記内側表面の反対側の粒子収集面とを含む。フードは顔面開口部を画定している第一の周縁を含む頭部を含み、そして第一の層及び粒子バリア層は第一の周縁の少なくとも一部に沿って結合されている。フードは、首開口部を画定している第二の周縁を含むのど当て部をさらに含み、第一の層及び粒子バリア層は第二の周縁の少なくとも一部に沿って結合されている。粒子バリア層の粒子収集面はアクセス可能である。例えば、粒子収集面は、観察及び／又は清浄化のためにアクセス可能であることができる。場合により、フードは、内側表面、及び、顔面開口部の第一の周縁に隣接して内側表面に接着された耐熱性エラストマーをさらに含むことができる。
【００１０】
本明細書に記載の別の実施形態は、第一の層及び前記第一の層を少なくとも部分的にカバーする粒子バリア層を含む、着用者のための保護フードである。粒子バリア層は、着用者に向かう内側表面と、前記内側表面の反対側の粒子収集面とを含む。フードは顔面開口部を画定している第一の周縁を含む頭部を含み、そして第一の層及び粒子バリア層は第一の周縁の少なくとも一部に沿って結合されている。フードは、首開口部を画定している第二の周縁を含むのど当て部をさらに含み、そして第一の層及び粒子バリア層は第二の周縁の少なくとも一部に沿って結合されている。フードはまた、内側表面と、顔面開口部の第一の周縁に隣接して内側表面に接着された耐熱性エラストマーとを含む。場合により、耐熱性エラストマーはシリコーンエラストマーである。
【００１１】
本明細書に記載の別の実施形態は、第一の層及び前記第一の層を少なくとも部分的にカバーする粒子バリア層を含む、着用者のための保護フードである。粒子バリア層は、着用者に向かう内側表面と、前記内側表面の反対側の粒子収集面とを含む。フードは、顔面開口部を画定している第一の周縁含む頭部を含み、そして第一の層及び粒子バリア層は第一の周縁の少なくとも一部に沿って結合されている。顔面開口部を画定している第一の周縁は顔面開口部が顔面マスク上に適切に構成されていることの視覚インジケータを含む。フードは、首開口部を画定している第二の周縁を含むのど当て部をさらに含み、第一の層及び粒子バリア層は第二の周縁の少なくとも一部に沿って結合されている。
【００１２】
本明細書に記載のいずれの実施形態においても、フードの第一の層はテキスタイル層を含むことができる。
【００１３】
本明細書に記載のいずれの実施形態においても、第一の層は粒子収集面に隣接していることができ、そしてのど当て部及び／又は頭部は粒子バリア層の粒子収集面にアクセスを提供する少なくとも１つのアパチャを含むことができる。場合により、アパチャは、第一の層と粒子バリア層との間の第二の周縁の少なくとも一部に沿って配置されてよい。場合により、アパチャは、粒子収集面がフードの外側になるようにフードを反転させるのに十分な寸法を有することができる。
【００１４】
第一の層が粒子収集面に隣接していない、本明細書に記載のいずれの実施形態においても、粒子バリア層は、粒子収集面が使用時にフードの外側になるように向けられることができる。
【００１５】
本明細書に記載のいずれの実施形態においても、粒子バリア層の内側表面は基材に対してラミネート化されうる。場合により、基材は、編布、織布、不織布又はフリースであることができる。場合により、基材は、複数のライン、グリッド、モノリシックコーティングなどの形態であることができる。
【００１６】
本明細書に記載のいずれの実施形態においても、フードは粒子バリア層が第一の層と第二の層との間にある第二の層、又は、第一の層が粒子バリアと第二の層との間にある第二の層、又は、第一の層及び粒子バリア層が第二の層と第三の層との間にある、第二の層及び第三の層をさらに含むことができる。
【００１７】
本明細書に記載のいずれの実施形態においても、フードは２つ以上の複数のパネル層から構築されていることができ、そして１つの層のパネルを結合しているシームは隣接層のパネルを結合しているシームと比較したときにオフセットされている。
【００１８】
本明細書に記載のいずれの実施形態においても、フードは２つ以上の層を含むことができ、各層は第一の周縁又は第二の周縁の少なくとも一部の周囲のシームではない少なくとも１つのシームを含み、１つの層のシームは隣接層のシームと比較したときにオフセットされている。
【００１９】
本明細書に記載のいずれの実施形態においても、層のうちの少なくとも１つは難燃性テキスタイル層であることができる。難燃層は、合成ポリマー、難燃性（ＦＲ）綿、ＦＲレーヨン、ウール又はそれらの混合物を含むことができる。合成ポリマーは、アラミド、ポリアミド、ポリベンゾイミダゾール（ＰＢＩ）、ポリベンゾオキサゾール（ＰＢＯ）、ポリジイミダゾピリジニレンジヒドロキシフェニレン（ＰＩＰＤ）、モダクリル又はそれらのブレンドを含むことができる。
【００２０】
本明細書に記載のいずれの実施形態においても、粒子バリア層は、スティッチング、接着剤、ラミネート化又はそれらの組み合わせによって、第二の周縁の一部に沿って、第一の層及び／又は少なくとも１つの他の層に結合されうる。場合により、第一及び第二の層は第二の周縁の少なくとも一部に沿って互いに結合されている。場合により、第一、第二及び第三の層は第二の周縁の少なくとも一部に沿って互いに結合されている。
【００２１】
本明細書に記載のいずれの実施形態においても、フードは２つ以上の粒子バリア層を含むことができる。場合により、粒子バリア層は互いに隣接していることができ、又は、互いに分離していることができる。
【００２２】
本明細書に記載のいずれの実施形態においても、隣接している粒子バリア層、第一の層、第二の層及び／又は第三の層から選ばれる少なくとも２つの層は分離可能でありうる。
【００２３】
本明細書に記載のいずれの実施形態においても、粒子収集面又は粒子バリア層は粒状物の少なくとも一部を解放するように構成されうる。
【００２４】
本明細書に記載のいずれの実施形態においても、粒子バリア層はポリテトラフルオロエチレン（ＰＴＦＥ）、延伸ＰＴＦＥ（ｅＰＴＦＥ）、別のフルオロポリマー、ポリウレタン、ポリオレフィン（例えば、ポリエチレン、ポリプロピレン）、ポリイミド（例えば、ＮＡＮＯ（登録商標）及びＮＡＮＯＦＬＥＸ（登録商標）ポリイミド）、ポリエステル、シリコーン又はそれらの組み合わせを含むことができる。
【００２５】
本明細書に記載のいずれの実施形態においても、フードは少なくとも１つのアパチャを含むことができ、そして前記少なくとも１つのアパチャは１つ以上のスリット、折り曲げ、オーバーハング、ボタン、フックアンドループクロージャ、スナップ、ベルクロ（登録商標）ファスナー又はそれらの任意の組み合わせを含む閉止可能な開口部であることができる。
【００２６】
本明細書に記載のいずれの実施形態においても、フードは耐熱性エラストマーを含むことができ、そして前記耐熱性エラストマーは顔面マスクに係合するように構成されうる。場合により、耐熱性エラストマーは顔面マスクと摩擦係合するように構成されうる。
【００２７】
本明細書に記載のいずれの実施形態においても、顔面開口部を画定している周縁は、前記顔面開口部が顔面マスク上に適切に構成されていることの視覚インジケータを含むことができる。場合により、フードの外側表面は色を備え、フードの内側表面は色を備え、そして視覚的インジケータはフードの外側表面の色とは異なる色を備えたシームであり、又は、顔面開口部の周縁はフードの内側表面又は外側表面の色とは異なる色の糸を使用して縫われたシームを含む。
【００２８】
これら及び他の特徴は本明細書でさらに詳細に説明される。
【００２９】
網羅される実施形態はこの要旨ではなく特許請求の範囲によって規定される。この要旨はさまざまな態様の高レベルな概観であり、以下の詳細な説明のセクションでさらに説明されている幾つかの概念を紹介している。この要旨は、特許請求される主題の要旨又は必須の特徴を識別することを意図していないし、また、特許請求される主題の範囲を決定するために分離して使用することも意図していない。主題は、明細書全体、ありとあらゆる図面及び各請求項の適切な部分を参照することによって理解されるべきである。
【図面の簡単な説明】
【００３０】
図面の簡単な説明
添付の図面は、本開示のさらなる理解を提供するために含まれており、本明細書に取り込まれそしてその一部を構成し、実施形態を例示し、そして記載とともに本開示の原理を説明する役割を果たす。
【００３１】
【図１】図１は本明細書に記載の実施形態による保護フードの側面図である。
【００３２】
【図２】図２ａ〜図２ｆは、粒子バリア層、第一の層及び場合により存在する追加の層の例示的な構成の部分断面図である。
【００３３】
【図３】図３ａ〜３ｂはアパチャで層を結合していることを示す、本明細書に記載の実施形態による保護フードの部分裏面図である。
【００３４】
【図４】図４は耐熱性エラストマーを含む、本明細書に記載の実施形態による保護フードの側面図である。
【００３５】
【図５】図５は視覚インジケータを含む、本明細書に記載の実施形態による保護フードの側面図である。
【発明を実施するための形態】
【００３６】
詳細な説明
本明細書で使用されるときに、用語「フード」は、他のいかなる衣類の恒久的な部分でもない独立型衣類を指す。幾つかの実施形態において、フードは、ジャケット、オーバーオール、全身スーツ又は他の防護服とともに装着することができ、例えば、ジャケット、オーバーオール、全身スーツ又は他の防護服がのど当て部の少なくとも一部の上に装着された状態で、又は、のど当て部の少なくとも一部がジャケット、オーバーオール、全身スーツ又は他の防護服に押し込まれた状態で装着することができる。
【００３７】
個人用保護装置としての使用のための保護フードを本明細書に記載する。フードは、例えば、雪、みぞれ、すす、カーボン、エアロゾル、蒸気又はそれらの組み合わせを含む、着用者の環境における粒状物がフードに侵入するのを防止し又は抑制するための少なくとも１つの粒子バリア層を含む。フードは、着用者を炎及び／又は熱、寒さ及び／又は粒状物に対して暴露する他の環境に対する保護をも提供するように構成されてよい。
【００３８】
本明細書に開示の保護フードは顔面開口部又はポートを画定している第一の周縁を含む頭部、及び、首開口部を画定している第二の周縁を含むのど当て部を含む。フードは、着用者に向かう内側表面と、前記内側表面の反対側にある粒子収集面とを有する粒子バリア層をさらに含む。フードはまた、粒子バリア層と同一の広がりを持つことができる少なくとも１つの他の層を含み、又は、粒子バリア層の表面積よりも大きい又は小さい表面積を有することができる。粒子バリア層及び追加の層は顔面開口部を画定している第一の周縁の少なくとも一部に沿って結合されている。粒子バリア層及び追加の層はまた、首開口部を画定している第二の周縁の少なくとも一部に沿って結合されている。
【００３９】
幾つかの実施形態において、本明細書に開示のフードは、検査及び／又は清浄化のための粒子バリア層へのアクセスを提供するアパチャを含む。幾つかの実施形態において、本明細書に開示のフードは保護シールを形成するために顔面マスクと係合する顔面開口部を含む。幾つかの実施形態において、本明細書に開示のフードはフードが顔面マスクに対して適切に配置されているときに指示する視覚インジケータを含む。
【００４０】
本明細書に開示のフードは、０．０２７マイクロメートル以上、又は０．０３マイクロメートル以上、又は０．０４マイクロメートル以上、又は、０．０５マイクロメートル以上、又は０．０６マイクロメートル以上、又は０．０７マイクロメートル以上、又は０．０８マイクロメートル以上、又は０．０９マイクロメートル以上、又は０．１マイクロメートル以上の直径を有する粒状物を回収することができる粒子バリア層を含む。これらの粒状物は、それがなければ、フードの内側に侵入し、そして着用者を粒状物にさらす可能性がある。例えば、フードは消防士装備品に使用するのに適しており、それは使用時にすす及び他の粒状物にさらされる。フード内の粒子バリア層は、消防士又は他の着用者の環境にある粒状物の少なくとも一部が着用者の頭及び／又は首に接触しているフードを侵入するのを防止することができる。粒子バリア層は、１つ以上の他の層と組み合わせて使用することができ、他の層としては、１つ以上のテキスタイル層、１つ以上の難燃性（ＦＲ）層、１つ以上の追加の粒子バリア層又はそれらの組み合わせが挙げられる。
【００４１】
本明細書に記載の１つの実施形態は頭部及びのど当て部を含む、着用者のための保護フードである。頭部は顔面開口部を画定している第一の周縁を含む。のど当て部は、首／胴開口部を画定している第二の周縁を含む。
【００４２】
フードは、着用者に向かう内側表面と、前記内側表面の反対側にある粒子収集面とを有する粒子バリア層をさらに含む。粒子収集表面は外部環境に面しており、表面上又はその付近に粒状物を収集する。粒状物は表面に蓄積することができ、そして粒状物の一部は粒子バリア層の孔を侵入することができるが、粒子の大部分は着用者の皮膚に到達しないと考えられる。フードはまた、粒子バリア層と同じ広がりを持つことができ、又は、粒子バリア層の表面積よりも大きい又は小さい表面積を有することができる、少なくとも１つの他の層、例えば、支持層、内側層、外側保護層又はそれらの組み合わせを含む。幾つかの実施形態において、粒子バリア層は、少なくとも１つの他の層の少なくとも１０％又は２０％又は３０％又は５０％又は６０％を覆い、ここで、前記百分率はフードの外側表面の合計表面積を基準とする。バリア層がフードの外側層ではない場合に、バリア層はフードの外側表面の表面積よりも２５％又は５０％又は７５％又は１００％以下だけ大きい表面積を有することができる。
【００４３】
本明細書に記載の実施形態の粒子収集面はフードが損傷していないときにアクセス可能である。アクセス可能性は重要である。というのは、保護フードに頼る人がフードを無傷のままで粒状物を清浄化することができなければならないからである。１回以上の使用の後に、粒状物は粒子バリア層の表面上に堆積し又は細孔に侵入することができる。十分な粒状物が粒子バリア層中／上に蓄積するならば、通気性などの特定の有利な特性は低減されうる。また、粒子バリア層が損傷を受けて、引き裂き又は孔を発生すると、粒状物がフードの内側に入りそして着用者と接触するのを防止する能力を失うことがある。アクセス可能性により、着用者は粒子バリア層の状態を決定することができ、また、粒子バリア層は使用前に清浄化又は修理することができる。
【００４４】
幾つかの実施形態において、粒子収集面は１つ以上の層によってカバーされ、そしてフードは粒子バリア層の粒子収集面へのアクセスを提供するためのアパチャを含む。アパチャは視覚的アクセスを提供することができ、それにより、着用者は、粒子バリア層が所望の保護を提供するために十分に清浄でかつ無傷であるかどうかを決定することができる。さらに又は別に、アパチャはアクセスを提供することができ、それにより、粒状物の少なくとも一部は粒子バリア層から除去することができ、それにより、粒子バリア層は少なくとも部分的に清浄化される。さらに又は別に、アパチャはアクセスを提供することができ、それにより、粒子バリア層はテーピング、溶接、縫製又は他の方法で引き裂きを固定し又はバリア層の一部を交換することなどにより修理されうる。幾つかの実施形態において、アパチャはフードを反転するのに十分なほど大きい寸法を有し、それにより、粒子バリア層は観察、清浄化又は修復のために露出され、その後、次の使用のために元の構成に戻すことができる。アパチャはフードの頭部にあることができ、又は、フードののど当て部にあることができる。幾つかの実施形態において、アパチャは、第一又は第二の周縁の少なくとも一部に沿って配置されうる。代替の実施形態において、粒子収集面はフードの外側表面であるためにアクセス可能である。
【００４５】
図１は本明細書に記載の実施形態による保護フード１００の側面斜視図である。図１は、のど当て部１０４と統合された頭部１０２を含み、そのため、一体構造を形成している実施形態を例示している。頭部１０２は第一の周縁１０８によって画定されている顔面開口部１０６を含む。のど当て部１０４は、第二の周縁１１２によって画定されている首／胴部開口部１１０を含む。保護フード１００は、外側層１１８に隣接している粒子収集面１１６を有する粒子バリア層１１４、及び、粒子バリア層１１４と外側層１１８との間のアパチャ１２０を含む。図１において、アパチャ１２０は、粒子バリア層１１４と外側層１１８との間で第二の周縁１１２の一部に沿って存在し、それにより、粒子バリア層１１４へのアクセスを提供し、そしてより詳細には、外側層１１８の下方で粒子収集面１１６へのアクセスを提供する。本明細書で使用するときに、粒子収集面は外部環境に面しており、着用者の反対側の表面である。アパチャ１２０は第二の周縁１１２の一部に沿って示されているが、アパチャの位置は限定されず、アパチャが粒子収集面１１６へのアクセスを提供する限り、アパチャはフード上のいかなる所望の位置にあってもよい。アパチャ１２０は可逆的にシール可能であってよく、そしてアパチャを閉止するためのファスナーを有することができる。幾つかの実施形態において、アパチャは折り目を有することができる。
【００４６】
図１は保護フード１００を一体構造として示しているが、フードは２つ以上のパネルから形成することもできる。別の実施形態において、頭部１０２及びのど当て部１０４は別離可能な部分であって、それらを結合することができ、例えばシールで結合することができる。例えば、頭部及びのど当て部を別々に形成し、例えば、シーム、折り曲げ又はオーバーラップで互いに結合することができる。幾つかの実施形態において、頭部及びのど当て部の一方又は両方は、単一のパネル又は一緒に結合された複数のパネルから形成することができる。そのような構造は当該技術分野において公知であり、本明細書に例示される必要はない。粒子バリア層が複数のパネルから形成される実施形態において、パネルは、接着剤、溶接、スティッチング又は当該技術分野で公知の他の方法によって結合することができる。シームは、例えばシームテープを使用してシールすることができるが、他の実施形態において、シームはシールされないままにされる。
【００４７】
本明細書に記載の実施形態によるフードは、粒子バリア層に隣接している第一の層を少なくとも含む。様々な実施形態において、第一の層は、粒子バリア層の表面にラミネート化された支持層、粒子バリア層の外側の外側層（着用者の反対側）、又は粒子バリア層の内側の内側層（着用者により近い）であることができる。幾つかの実施形態において、第一の層及び粒子バリア層は、第一の周縁の少なくとも一部に沿って接合されている。追加的に又は別に、第一の層及び粒子バリア層は、第二の周縁の少なくとも一部に沿って結合されうる。第一の層及び粒子バリア層は、いかなる公知の手段でいずれかの周縁に結合されてもよく、前記手段は、例えば、限定するわけではないが、スティッチング、接着剤、溶接、超音波接合、ラミネート化、フックアンドループクロージャ又はそれらの組み合わせである。
【００４８】
フードは、第一の層に加えて１つ以上の層を含むことができる。例えば、フードは１〜１０層の追加の層、例えば、２層の追加の層又は３層の追加の層を含むことができる。これらの追加の層はフードの所望の最終用途に応じて配置されうる。例えば、追加の層は、フード内において、粒子バリア層及び／又は第一の層に対して内側、外側又は両方に配置されうる。幾つかの実施形態において、フードは粒子バリア層に対して外側の少なくとも２つの外側層を含む。追加的に又は別には、フードは粒子バリア層に対して少なくとも２つの内側層を含む。幾つかの実施形態において、フードは粒子バリア層に対して外側の少なくとも１つの外側層（着用者の反対側）及び粒子バリア層に対して内側の少なくとも１つの内側層（着用者により近い）を含むことができる。追加の層は、着用者に追加の防炎性を提供するか、又は、フードを着たときの使用者の快適さを増すことができる。幾つかの実施形態において、粒子バリア層の粒子収集面はアクセス可能であることができる。したがって、いかなる層が粒子収集面に隣接していても、フードは粒子収集面へのアクセスを提供するそのような層を通るアパチャを含むことができる。
【００４９】
より一般に、フードが粒子バリア層に隣接している第一の層を含む場合に、フードは粒子バリア層の反対側に隣接している１つ以上の追加の層を含むことができ、それにより、粒子バリア層は第一の層と１つ以上の追加の層との間にある。あるいは、フードが粒子バリア層に隣接している第一の層を含む場合に、フードは第一の層の反対側に隣接している１つ以上の追加の層を含むことができ、それにより、第一の層は粒子バリア層と１つ以上の追加の層との間にある。幾つかの実施形態において、フードが粒子バリア層に隣接している第一の層を含む場合に、フードは、粒子バリア層及び第一の層を含む構造の少なくとも片側又は両側に少なくとも２つの追加の層を含むことができる。すなわち、第一の層が粒子バリア層に隣接している場合には、フードは第一の層又は粒子バリア層のいずれかに隣接した１つ以上の追加の層、及び、第一の層又は粒子バリア層の他方に隣接した１つ以上の追加の層を含むことができ、それにより、粒子バリア層及び第一の層は両方とも追加の層の間にある。
【００５０】
図２ａ〜ｆは、粒子バリア層、外側層及び／又は内側層を含むフード構成２００の例示的構成の断面図を示す。参考のために、外部環境は構成の上方にあり、そして着用者又はフード内部は構成の下方にある。図２ａ〜図２ｄは、粒子バリア層２０６の粒子収集面２０４に隣接している外側層２０２の部分断面図を示す。図２ｃ〜図２ｆは、粒子バリア層に対して内側にある内側層２０８（着用者により近い）を示す。図２ｂ、２ｃ及び２ｆは粒子バリア層２０６及び支持層２１２を含むラミネート２１０を示す。
【００５１】
図２ａ〜図２ｄは、粒子バリア層２０６の粒子収集面２０４に隣接している外側層２０２の部分断面図を示す。粒子収集面２０４へのアクセスを許容するために、図２ａ〜図２ｄに示すとおりの構成は、外側層２０２を通る、又は、周縁（図示せず）に沿って外側層２０２と粒子バリア層２０６との間にあるアパチャ（図示せず）を含む。図２ａ〜図２ｄに示す構成において、外側層２０２は粒子バリア層２０６と表面にわたって結合されておらず、外側層２０２及び粒子バリア層２０６の縁（図示せず）に沿って連続的に又は不連続に結合されていることができる。このように、外側層２０２は粒子バリア層２０６から分離可能である。他の実施形態において、粒子バリア層は外側層であり、アパチャは必要とされない。
【００５２】
図２ｃ〜図２ｆは、粒子バリア層２０６に対して内側にある内側層２０８（着用者により近い）を示す。図２ｅ及び図２ｄに示す実施形態において、内側層２０８は粒子バリア層の内側表面２１４に隣接している。粒子バリア層２０６の内側表面２１４へのアクセスは必要とされないので、内側層２０８は内側表面２１４の表面にわたって連続的に又は不連続に、又は、縁（図示せず）に沿って連続的に不連続的に粒子バリア層２０６に結合されることができる。幾つかの実施形態において、図２ｅ及び２ｆに示されるフード構成２００の層の一部又は全ては分離可能であってよいが、粒子収集面２０４は環境にさらされるので分離可能性は必要ではない。
【００５３】
図２ｂ、２ｃ及び２ｆは、粒子バリア層２０６及び支持層２１２を含むラミネート２１０を示す。粒子バリア２０６のタイプに応じて、粒子バリア層２０６にラミネート化された支持層２１２を使用することが望ましいことがある。支持層２１２は粒子バリア層２０６の耐久性を向上させる。支持層２１２は、図２ｂ、図２ｃ、及び図２ｆに示すように、粒子バリア層２０６に隣接していてよく、そして連続又は不連続接着剤により粒子バリア層２０６の内側表面２１４に結合されうる。図２ａ〜図２ｆの各層は個々の層として示されているが、幾つかの実施形態において、いずれの層も上述のように複数の層を含むことができる。
【００５４】
粒子バリア層及び第一の層は、第一の周縁の少なくとも一部及び第二の周縁の少なくとも一部に沿って互いに結合されている。フードが第一の層に加えて、層を含む場合には、それらの層は、粒子バリア層に、第一の層に、及び／又は互いに、少なくとも第一の周縁の一部及び第二の周縁の一部に沿って結合されうる。粒子バリア層、第一の層、及び追加の層はいかなる公知の手段によって、いずれかの周縁に沿って結合してもよく、かかる手段は、例えば、限定するわけではないが、スティッチング、接着剤、ラミネート化又はそれらの組み合わせである。
【００５５】
アパチャを有する実施形態において、アパチャは周縁の１つに沿って配置されているか、又は、別の場所に配置されていることができる。アパチャが周縁に沿って配置されているときに、すべての層はアパチャを含まない周縁の部分に沿って結合されうる。周縁のアパチャ部分に沿っては、しかしながら、少なくとも粒子バリア層はアパチャの片側にあり、粒子収集面はアパチャに面しており、そして粒子バリア層の周縁の部分はアパチャ周囲の約半分を形成している。少なくとも１つの他の層はアパチャの他方の側にあり、その層の周縁の部分はアパチャ周囲のほぼ他方の半分を形成している。周縁のアパチャ部分に沿って、粒子バリア層はアパチャの他方の側で少なくとも１つの他の層から分離して仕上げられている。
【００５６】
より一般に、周縁のアパチャ部分に沿って、少なくとも１つの単層又は組み合わせの層は少なくとも１つの他の単層又は組み合わせの層から分離して仕上げられている。周縁にアパチャを有する幾つかの実施形態において、各層は周縁のアパチャ部分に沿って個々に仕上げられており、それにより、２つの層は周縁のアパチャ部分に沿って互いに結合していない。周縁にアパチャを有する他の実施形態において、アパチャの片側にある１つ以上の層は一緒に仕上げられている。すなわち、アパチャの片側にある１つ以上の層は周縁のアパチャ部分に沿って互いに結合されていることができる。同様に、アパチャの反対側にある１つ以上の層は周縁のアパチャ部分に沿って互いに結合されていることができる。
【００５７】
図３ａ及び３ｂは、本明細書に記載の実施形態によるフード３００の部分裏面図を示す。図３ａ及び図３ｂは両方とも、周縁３０４の一部に沿ってアパチャ３０２を含むフード３００を示す。フードは、粒子収集面３０８を有する粒子バリア層３０６、粒子バリア層３０６の内側表面（図示せす）に隣接している内側層３１０、及び、粒子収集面３０８に隣接している外側層３１２を含む。アパチャ３０２は粒子収集面３０８へのアクセスを提供する。粒子バリア層３０６及び内側層３１０はアパチャ３０２の片側にあり、そして外側層３１２はアパチャ３０２の他方の側にある。図３ａは、周縁３０４のアパチャ３０２部分に沿ってステッチ３１６により一緒に仕上げられた（周縁３０４で結合された）粒子バリア層３０６及び内側層３１０を示す。図３ｂは、周縁３０４のアパチャ３０２部分に沿ってステッチ３０８，３２０により分離して仕上げられた（周縁３０４で結合していない）粒子バリア層３０６及び内側層３１０を示している。図３ａ及び３ｂは両方とも、周縁３０４のアパチャ部分３０２に沿ってステッチ３２２により分離して仕上げられた外側層３１２を示している。外側層３１２、粒子バリア層３０６及び内側層３１０はすべて、周縁３０４のアパチャ３０２部分の範囲外の周縁に沿ってステッチ３２４により互いに結合されうる。図３ａ及び３ｂは層を結合するためにステッチを示しているが、他の結合の手段は使用されてよく、前記手段としては、限定するわけではないが、接着剤、ラミネート化又はそれらの組み合わせが挙げられる。図３ａ及び３ｂは、粒子バリア層に加えて２つの層のみを示しているが、他の実施形態において、図３ａ〜ｂの内側層３１０又は外側層３１２のいずれかは複数の層を含むことができる。
【００５８】
幾つかの実施形態において、フードは２つ以上の粒子バリア層を含む。各粒子バリア層は、上述のように、内側表面と粒子収集面とを含む。２つ以上の粒子バリア層は隣接していてもよく、又は、他の層によって分離されていてもよい。幾つかの実施形態において、各粒子バリア層の粒子収集面はアクセス可能である。幾つかの実施形態において、複数の粒子バリア層を含むフードは複数のアパチャを含む。幾つかの実施形態において、フードは各粒子バリア層に対して少なくとも１つのアパチャを含む。
【００５９】
本明細書中の実施形態によるフードは、粒子バリア層へのアクセスが必要ないときに閉止構成でアパチャを固定するためのクロージャを含むことができる。閉止されているときに、クロージャは追加の粒状物が入るのを防止するためにシール可能であることができる。したがって、１つの実施形態において、アパチャは閉止可能であり、さらにシール閉止可能にできる。例えば、フードは、１つ以上のスリット、折り曲げ、オーバーハング、ボタン、フックアンドループクロージャ、スナップ、ベルクロ（登録商標）ファスナー又は閉止構成でアパチャを固定するための任意の他の適切な手段を含むことができる。幾つかの実施形態では、固定機構は非金属製である。幾つかの実施形態において、アパチャは可逆的に固定されているので、アパチャは粒子バリア層にアクセスするために開かれ、次いで、再び固定されることができる。
【００６０】
幾つかの実施形態において、少なくとも２つの層は分離可能である。粒子バリア層、第一の層又は任意の追加の層は隣接層から分離可能でありうる。本明細書で使用されるときに、用語「分離可能」は、隣接構成要素に対して表面にわたって実質的に結合されていない構成要素であるが、ステッチ又は他の手段によって、その周囲を隣接構成要素の周囲に結合してそれらの構成要素を固定することができる構成要素を指すことが意図される。隣接しておりかつ分離可能な２つの層は構造の反転を可能にするように引き離すことができる。
【００６１】
有用な粒子バリア層はフードを通してそして粒状物が着用者に接触することができるフード内部に着用者の外部環境から粒子の少なくとも一部が輸送されることを防止又は抑制することができる。しかしながら、粒子バリア層は、清浄化可能であるべきであるか、又は、収集された粒状物の一部又は全部などの、粒状物の少なくとも一部を解放する能力を有するべきであり、それにより、粒子バリア層を含むフードは繰り返しの使用に適する。したがって、幾つかの実施形態において、粒子バリア層は粒状物を解放するように構成されている。幾つかの実施形態において、粒子バリア層内に収集された粒状物は、粒子収集面を通して解放される。幾つかの実施形態において、粒子収集面及び／又は粒子バリア層は粒状物を解放するように構成されている。粒状物を解放するとは、例えば拭き取り、水でのスプレイダウン、洗濯、減圧を課すこと（例えば、バキュームクリーニング）、又は上記の任意の組み合わせによるなどのクリーニング方法によって粒状物を粒子バリア層から除去することができることを意味する。
【００６２】
粒子バリア層として有用な材料の例としては、多孔質及び非多孔質膜が挙げられる。適切な粒子バリア層は０．０２７マイクロメートル以上、又は０．０３マイクロメートル以上、又は０．０４マイクロメートル以上、又は０．０５マイクロメートル以上、０．０６マイクロメートル以上、又は０．０７マイクロメートル以上、又は０．０８マイクロメートル以上、又は０．０９マイクロメートル以上、又は０．１マイクロメートル以上の直径を有する粒状物の通過を抑制することができる。膜は空気透過性又は空気不透過性であることができる。膜は、膜を通して湿分を輸送することができる能力として定義される通気性を提供することができる。さらに、膜は、液体水中の粒状物の侵入を防ぐために液体水耐性であることができる。幾つかの実施形態において、粒子バリア層はポリテトラフルオロエチレン（ＰＴＦＥ）、延伸ＰＴＦＥ（ｅＰＴＦＥ）、別のフルオロポリマー、ポリウレタン、ポリオレフィン（例えばポリエチレン、ポリプロピレン）、ポリイミド（例えばＮＡＮＯ（登録商標）及びＮＡＮＯＦＬＥＸ（登録商標）ポリイミド）、ポリエステル、シリコーン又はそれらの組み合わせであることができる。幾つかの実施形態において、ＰＴＦＥ、ｅＰＴＦＥ、他のフルオロポリマー、ポリオレフィン、ポリイミド又はポリエステル粒子バリア層は繊維の形態であることができる。
【００６３】
本明細書に記載の実施形態における粒子バリア層は、フィブリルによって相互連結されたノードの微細構造を有するフルオロポリマーを含むことができ、これは多孔質構造を提供する。幾つかの実施形態において、微細構造は非対称であり、これは多孔質構造が構造の厚さにわたって複数の領域を含み、少なくとも１つの領域が第二の領域の微細構造とは異なる微細構造を有することを意味する。そのような非対称の微細構造を有するフルオロポリマーの例は、米国特許出願公開第２０１１／０２７１４１６号明細書に提供されており、その全体を参照により本明細書中に取り込む。
【００６４】
本明細書に開示のフードの粒子バリア層又は任意の他の層は、場合によりコーティングを含むことができる。幾つかの実施形態において、コーティングは、例えば空気不透過性の水蒸気通気性ポリウレタンコーティングなどの水蒸気通気性である。他の任意要素であるコーティングとしては、ノード及びフィブリルフルオロポリマー系コーティングが挙げられる。幾つかの実施形態において、粒子バリア層又は任意の他の層としては、含浸モノリシック水蒸気透過性ポリマーを挙げることができる。他の実施形態において、粒子バリア層又は任意の他の層はコーティングされていなくてもよい。
【００６５】
外側層を含む幾つかの実施形態において、外側層として有用な材料の例としては、限定するわけではないが、３Ｄ印刷ポリマー、フロック材料及びテキスタイルが挙げられる。場合により、外側層は、編布、織布もしくは不織布又はフリースであることができる。幾つかの実施形態において、外側層は難燃性である。幾つかの実施形態において、外側層は難燃性テキスタイル層である。場合により、外側層は、天然繊維（例えば、綿、ウール）、合成繊維（例えば、レーヨン、ＬＹＣＲＡ（登録商標）スパンデックス）、メラミン、合成ポリマー（例えば、アラミド、ポリアミド、ポリベンゾイミダゾール（ＰＢＩ）、ポリベンゾオキサゾール（ＰＢＯ）、ポリジイミダゾピリジニレンジヒドロキシフェニレン（ＰＩＰＤ）、モダクリル）、又はそれらのブレンドから形成されうる。幾つかの実施形態において、外側層は難燃性であることができ、そしてＦＲ綿、ウール、ＦＲレーヨン、モダクリル、アラミド、ポリアミド、ＰＢＩ、ＰＢＯ、ＰＩＰＤ、モダクリル又はそれらのブレンドから形成されうる。
【００６６】
内側層を含む幾つかの実施形態において、外側層として有用な材料の例としては、限定するわけではないが、３Ｄ印刷ポリマー、フロック材料及びテキスタイルが挙げられる。場合により、外側層は、編布、織布もしくは不織布又はフリースであることができる。幾つかの実施形態において、外側層は難燃性である。幾つかの実施形態において、外側層は難燃性テキスタイル層である。場合により、外側層は、天然繊維（例えば、綿、ウール）、合成繊維（例えば、レーヨン、ＬＹＣＲＡ（登録商標）スパンデックス）、メラミン、合成ポリマー（例えば、アラミド、ポリアミド、ポリベンゾイミダゾール（ＰＢＩ）、ポリベンゾオキサゾール（ＰＢＯ）、ポリジイミダゾピリジニレンジヒドロキシフェニレン（ＰＩＰＤ）、モダクリル）又はそれらのブレンドから形成されうる。幾つかの実施形態において、外側層は難燃性であることができ、そしてＦＲ綿、ウール、ＦＲレーヨン、モダクリル、アラミド、ポリアミド、ＰＢＩ、ＰＢＯ、ＰＩＰＤ、モダクリル又はそれらのブレンドから形成されうる。
【００６７】
内側層及び外側層を含む実施形態において、内側層及び外側層は同じ材料であっても又は異なる材料であってもよい。同様に、内側層及び外側層は、類似の特性を有しても又は異なる特性を有してもよい。幾つかの実施形態において、外側層又は内側層は熱保護を提供する。幾つかの実施形態において、本明細書に記載のフードは粒状物ブロッキングが必要である寒冷気候での使用に有用である。例えば、本明細書に記載の実施形態によるフードはスキーフードとして有用であることができる。
【００６８】
幾つかの実施形態において、上記のとおり、粒子バリアの内側表面は基材にラミネート化されうる。基材は、粒子バリア層に支持及び／又は耐久性を提供することができるいかなる材料であってもよい。例えば、基材は、編布、織布もしくは不織布又はフリースであることができる。他の例において、基材は、複数のライン、グリッド、モノリシックコーティングなどの形態であることができる。場合により、基材は、天然繊維（例えば、綿、ウール）、合成繊維（例えば、レーヨン、ＬＹＣＲＡ（登録商標）スパンデックス）、メラミン、合成ポリマー（例えば、アラミド、ポリアミド、ポリベンゾイミダゾール（ＰＢＩ）、ポリベンゾオキサゾール（ＰＢＯ）、ポリジイミダゾピリジニレンジヒドロキシフェニレン（ＰＩＰＤ）、モダクリル）又はそれらのブレンドから形成されうる。
【００６９】
幾つかの実施形態において、熱反応性材料の層は、第一、第二、第三又は任意の後続の層の少なくとも１つの表面及び／又はバリア層の少なくとも１つの表面の少なくとも一部に塗布することができる。熱反応性材料は、ポリマー樹脂膨張性グラファイト材料を含むことができ、ここで、膨張性グラファイトは、２８０℃への加熱時に少なくとも９００μｍ膨張を有する。熱反応性材料及び熱反応性材料の使用方法は、ＵＳ８，７２２，１４５、ＵＳ ２００９/０１１０９１９、ＵＳ２００９／０２４６４８５又はＥＰ２２０５１１０に見出すことができるもののいずれかであることができる。これらの全ては、その全体を参照により本明細書に取り込む。幾つかの実施形態において、粒子バリア層を基材にラミネート化することができ、ここで、熱反応性材料は粒子バリア層を基材に接着する接着剤層として使用することができる。
【００７０】
粒子バリア層及びそれにラミネート化された基材を含むフード内の各層は、フード内で快適に使用できるように十分に低い剛性を有しそして可撓性を有するべきである。さらに、本明細書中の実施形態によるファーストレスポンダのためのフードは、迅速な着脱のために十分に可撓性でなければならない。したがって、幾つかの実施形態において、単独での粒子バリア層及び基材との組み合わせでの粒子バリア層はたて剛性が０．０００３〜４．５グラム力センチメートル２／センチメートル（ｇｆ.ｃｍ２／ｃｍ）（例えば、０．０３〜０．６０ｇｆ.ｃｍ２／ｃｍ、又は０．０５〜０．０９ｇｆ.ｃｍ２／ｃｍ）である。幾つかの実施形態において、単独での粒子バリア層及び基材との組み合わせでの粒子バリア層はよこ剛性が０．０００３〜５．４ｇｆ.ｃｍ２／ｃｍ（例えば、０．０１〜０．７０ｇｆ.ｃｍ２／ｃｍ、又は０．０３〜０．０６ｇｆ.ｃｍ２／ｃｍ）である。さらに、幾つかの実施形態において、本明細書に記載のフードの粒子バリア層は、快適さ及び着脱の容易さを向上させるために伸縮性である。
【００７１】
粒子バリア層は所望の可撓性及び伸縮性を有するならば、いかなる有用な重量であってもよい。例えば、幾つかの実施形態において、本明細書に記載の実施形態による粒子バリア層／基材組み合わせは４〜５５０グラム／平方メートル（ｇｓｍ）の重量を有することができる。幾つかの実施形態において、粒子バリア層／基材の重量は４０〜３００ｇｓｍであることができる。そして幾つかの実施形態において、粒子バリア層／基材の重量は７５〜１３０ｇｓｍであることができる。
【００７２】
本明細書に記載の粒子バリア層は、着用者が遭遇する条件に耐えられるように耐久性であるべきである。幾つかの実施形態において、本明細書に記載の粒子バリア層は、３〜２２５ポンドのボール破裂強度を有する。幾つかの実施形態において、本明細書に記載の粒子バリア層は、３０〜１００ポンドのボール破裂強度を有する。幾つかの実施形態において、本明細書に記載の粒子バリア層はＡＳＴＭ Ｄ３７８７により決定して、５回のボール破裂測定の平均に基づいて５０〜８５ポンドのボール破裂強度を有する。
【００７３】
幾つかの実施形態において、本明細書に開示のフードは、着用者の皮膚への粒状物の侵入に対する追加の保護シールを形成するための顔面マスクと係合する顔面開口部を含む。幾つかの実施形態において、フードは顔面開口部の第一の周縁に隣接するフードの内側表面上に耐熱性エラストマーを含む。耐熱性エラストマーは、顔面開口部の第一の周縁に隣接して配置され、それが顔面マスクに係合するように構成されている。例えば、幾つかの実施形態において、フードの内側の耐熱性エラストマーは顔面マスクと係合し、フードを顔面マスクに固定している。幾つかの実施形態において、耐熱性エラストマーはフードが顔面マスクから滑り落ちるのを防止する。幾つかの実施形態において、耐熱性エラストマーは、フードと顔面マスクとの間にギャップが形成されるのを防止する。場合により、耐熱性エラストマーはシリコーンエラストマーである。耐熱性エラストマーは、本開示のフードの製造の間に適用されることができ、又は、流動性の流体又はゲルとして耐熱性エラストマーを含み、これが後に硬化又はキュアリングされるキットを用いて、使用者により又は販売時に適用されることができる。さらに他の実施形態において、耐熱性エラストマーは顔面開口部の周縁付近に適合するように構築された別個の構成要素であってよく、前記別個の構成要素は既知の結合技術、例えば縫製、接着剤結合及び／又はラミネート化技術によって顔面開口部に適用されうる。
【００７４】
図４は本明細書に記載の実施形態による保護フード４００の側面斜視図である。図４は、のど当て部４０４と統合された頭部４０２を含む実施形態を示している。頭部４０２は、第一の周縁４０８によって画定されている顔面開口部４０６を含む。フード４００は、第一の周縁４０８に隣接して配置された耐熱性エラストマー４１０を含み、それは顔面マスク（図示せず）と係合するように構成されている。
【００７５】
しばしば、ファーストレスポンダは非常に迅速に個人用保護具を着用する。ファーストレスポンダが準備しなければならない速度は、しばしば、保護フードが顔面マスク上に適切に配置されることを確保するなど、保護具が適切に構成されることを確保するための時間がほとんど許されない。幾つかの実施形態において、本明細書に開示のフードは、フードが顔面マスクに対して適切に配置されているときに指示する視覚インジケータを含む。一例として、本明細書に記載の実施形態によるフードは、第一の周縁の周りにシームを含むことができ、前記シームはフードの外側表面の色とは異なる色である。もし周縁の色が周縁の周囲全体にわたって見えないならば、フードはマスク上に適切に配置されている。場合により、周縁は、フードの外側表面の色とは異なる色の糸を使用して縫い付けられたシームを含むことができる。ここでも、シームの色が周縁の周囲全体にわたって見えないならば、フードは顔面マスク上に適切に配置されている。場合により、最も内側の層の周縁は第一の周縁に隣接して配置された異なる色の材料を含むことができ、それは顔面マスクに係合するように構成されている。この材料は、見えない場合に、フードが適切に配置されていないことを示す。そのような色の差異は、ファーストレスポンダの同僚が、ファーストレスポンダのフードが顔面マスク上で適切に配置されているかどうかを迅速に評価し、調節を必要としているかどうかを伝えることを可能にする。
【００７６】
図５は本明細書に記載の実施形態による保護フード５００の側面斜視図である。図５はのど当て部５０４と統合された頭部５０２を含む実施形態を示している。頭部５０２は、第一の周縁５０８によって画定されている顔面開口部５０６を含む。フード５００は、第一の周縁５０８の周囲にシーム５１０を含み、前記シームはフード５００の外側表面５１２の色とは異なる色である。
【００７７】
本発明のフード構造により使用されうる顔面マスクは呼吸用マスク（例えば、キャニスタ付き）、化学防護マスク、ろ過マスク、電動空気呼吸用保護具（ＰＡＰＲ）、自給式呼吸器（ＳＣＢＡ）、スキーゴーグルなどを含むことができる。
【００７８】
本明細書に記載の実施形態による粒子バリア層を含むフードは、本明細書に記載の方法によって試験されるときに、９９．９９９％までの粒子遮断効率を有する。幾つかの実施形態において、本明細書に記載の実施形態による粒子バリア層を含むフードは、９０％以上の粒子遮断効率を有する。幾つかの実施形態において、本明細書に記載の実施形態による粒子バリア層を含むフードは、９５％以上の粒子遮断効率を有する。幾つかの実施形態において、本明細書に記載の実施形態による粒子バリア層を含むフードは、９８％以上の粒子遮断効率を有する。
【実施例】
【００７９】
実験
【００８０】
特に指示がない限り、すべてのｅＰＴＦＥ膜、ラミネート及び布帛は、Ｗ．Ｌ．Ｇｏｒｅ ａｎｄ Ａｓｓｏｃｉａｔｅｓ，Ｉｎｃ．から入手可能である。特に指示がない限り、ｅＰＴＦＥ膜はＵＳ３，９５３，５６６により製造された。
【００８１】
ボール破裂試験
【００８２】
テキスタイルの破裂強度のためのＡＳＴＭ Ｄ３７８７規格試験法−定速横断（ＣＲＴ）ボール破裂試験により、基材にラミネート化された粒子バリア層を試験した。
【００８３】
例（１）
０．７オンス／平方ヤード（ｏｓｙ）(１７ｇｓｍ)のＮＯＭＥＸ（登録商標）不織布基材(スタイルE-88 307 63 インチ、天然、DuPont, Wilmington, DEから入手可能)にラミネート化された粒子バリア層としてのｅＰＴＦＥ膜(バブルポイント１７ｐｓｉ、質量９．５ ｇｓｍ及び厚さ２４マイクロメートル)を含む２層の４０〜４５グラム／平方メートル（ｇｓｍ）のラミネートを試験法に従って試験し、そして３０．６３ポンド力（ｌｂｆ）(１３６．２ニュートン)のボール破裂であると決定した。
【００８４】
例（２）
０．７ｏｓｙ(１７ｇｓｍ)のＮＯＭＥＸ（登録商標）不織布基材(スタイルE-88 307 63 インチ、天然、DuPont, Wilmington, DEから入手可能)にラミネート化された粒子バリア層としてのｅＰＴＦＥ膜(バブルポイント１９ｐｓｉ、質量４１ｇｓｍ及び厚さ９１マイクロメートル)を含む２層の７０〜７５ｇｓｍのラミネートを試験法に従って試験し、そして５２．１０ｌｂｆ(２３１．８ニュートン)のボール破裂が達成された。
【００８５】
カワバタ剛性試験
【００８６】
基材にラミネート化された粒子バリア層の剛性をカワバタKES-FB2オートAテスターを用いて決定した。使用したソフトウェアは、Kato Tech Co., LTDからのKES-FB System version 8.04Eであった。サンプルの剛性を測定するために、測定プログラム FB2-Aを、布帛／フィルムとして設定されたサンプルとともに使用し、測定モードを１サイクルに設定し、感度を２０に設定した。サンプル幅は２０センチメートル（ｃｍ）であり、曲率は２．５ｃｍ−１であった。回転が完了できなかった場合は、感度を５０まで上方向に調整した。回転がなおも完了できなかった場合は、サンプル幅を切り落とした。サンプルが軽すぎるためにシステムが登録できなかった場合は、読み値を得るために感度を１０に低下させた。サンプルを縦方向及び／又は横方向に測定した。フィルムを機械方向及び／又は横断方向に測定した。
【００８７】
可撓性を決定するために、比較的に重い重量のラミネートで剛性試験を行った。というのは、比較的に重い重量のラミネートは必要な強度（より軽い重量のサンプルのボール破裂強度に基づく）を有することが明らかであるからである。
【００８８】
例（３）
８．０ｏｓｙ（１９０ ｇｓｍ）のリブ編布基材(NOMEX（登録商標）編布テキスタイル、スタイル１９１８、Draper Knitting, Canton, MAから入手可能)にラミネート化されたｅＰＴＦＥ膜（米国特許第５，４１８，０５４号明細書により製造され、水蒸気透過速度＞１０，０００グラム／ｍ２／２４時間、質量４０．５ｇｓｍ及び厚さ５２マイクロメートルである）粒子バリア層を含む２層の２８５〜２９５ｇｓｍのラミネートは、０．１８６２（ｇｆ．ｃｍ２／ｃｍ）のたてＢ−ＭＥＡＮ及び０．０６３（ｇ／ｃｍ２／ｃｍ）のよこＢ−ＭＥＡＮを有すると決定された。ラミネートは、フード内で快適に使用できるように十分に低い剛性を有する。
【００８９】
粒子バリアテスト
【００９０】
粒子バリア効率は、ＴＳＩ ＣＰＣ、モデル３７７２００及びＴＳＩ静電分類器、モデル３０８０を使用して測定された。温度は２１℃、相対湿度は４８％及び気圧は７８３ミリメートル（ｍｍ）Ｈｇであった。汚染物は多分散ラテックス球エアロゾルであった。各バリア層から９０ｍｍの平らなディスク形状のサンプルを試験した。対照は、２層の８ｏｓｙ（１９０ｇｓｍ）ＮＯＭＥＸ（登録商標）編布テキスタイル（スタイル１９１９、Draper Knitting, Canton, MAから入手可能）であった。
【００９１】
試験した２つのバリア層は例（４）：約７２ｇｓｍの合計質量について１．８ｏｓｙ（４３ｇｓｍ）ＮＯＭＥＸ（登録商標）編布（スタイル番号３２４０６．９９、SSM, Spring City, TNから入手可能）にラミネート化されたｅＰＴＦＥ膜（バブルポイント１７ｐｓｉ、質量９．５ｇｓｍ及び厚さ２４μｍである）、及び、例（５）：ＣＲＯＳＳＴＥＣＨ（登録商標）黒色湿分バリア（パート番号ＷＮＰＺ１０００００Ｍ、Ｗ．Ｌ．Ｇｏｒｅ ａｎｄ Ａｓｓｏｃｉａｔｅｓ，Ｎｅｗａｒｋ，ＤＥから入手可能）であった。ＣＲＯＳＳＴＥＣＨ（登録商標）黒色湿分バリアは、ＮＯＭＥＸ（登録商標）織布にラミネート化された粒子バリア層としてのｅＰＴＦＥ膜から作られた２層ラミネートである。
【表１】
0006959340.tif 000002
【００９２】
表１の結果は開示のバリア層が煤中に見出される粒子に近いサイズ範囲を有する粒子に対する優れたバリアを提供することができることを示す。
【００９３】
汚染及び清浄化
【００９４】
例（６）：ＮＯＭＥＸ（登録商標）編布にラミネート化された粒子バリア層としてのｅＰＴＦＥ(ｅＰＴＦＥラミネート、パート番号KBDU600000B、W.L. Gore and Associates, Newark, DEから入手可能)、比較のＮＯＭＥＸ（登録商標）ナノ不織布(DuPont, Wilmington, DEから入手可能)、及びＰＴＦＥ織布材料をそれらの清浄化性について試験した。サンプルを汚染する前に、Apple iPhone 6を用いて、各清浄サンプルの写真を撮った。この写真をImageJソフトウェアを実行するコンピュータへアップロードした。このソフトウェアはオープンソースJAVA画像処理プログラムである。「測定（Measure）」機能を用いて、写真の明度の値を得た。
【００９５】
試験サンプルを、磨耗設定「Ｃ」に設定されたマーチンデール研磨ユニット（Martindale Abrasion unit）を用いて汚染した。０．０５ｇのＣＯＮＤＵＣＴＥＸ（登録商標）７０６０粉末を各サンプルの１つの表面上に配置した。次いで、研磨ヘッドを粉末の上に置き、そして研磨を３２回運動（２回の完全サイクル）で行った。研磨ヘッドはそれを研磨ユニットに接続するロッドの上には重さがなかった。研磨剤は約２ｏｓｙ（４７ｇｓｍ）のｅＰＴＦＥラミネートであり、ｅＰＴＦＥがサンプルに対面していた。汚染されたサンプルの処理表面の画像をiPhone 6で撮影した。次いで、サンプルをマーチンデール研磨ユニットを使用して清浄化した。研磨剤として２層のＣＬＯＲＯＸ（登録商標）ワイプを使用することによってサンプルを清浄化した。研磨機を８回運動（１／２サイクル）で運転し、次に研磨剤として２層のＣＬＯＲＯＸ（登録商標）ワイプを用いて研磨ヘッドをきれいなものと交換した。新たな研磨剤を用いてさらに８回運動（１／２サイクル）を実行し、こうして１サイクルを完了した。清浄化したサンプルの画像をiPhone 6を使用して記録した。汚染前、汚染後及び清浄化後のサンプルの各画像を同一の照明条件下で同一のカメラで記録した。
【００９６】
汚染されたサンプル及び清浄化されたサンプルについては、マーチンデール研磨ユニットが接触している領域の明度のみを測定した。各サンプルについての研磨領域の明度を決定した。％清浄化は以下の計算式を用いて決定し、そして結果を表２に示す。
Z = 100*(1-(c-y)/(c-x))
Z = % 清浄化
c = 対照サンプルからの明度測定値
x = 汚染サンプルからの明度測定値
y = 汚染しそして清浄化したサンプルの明度測定値
【表２】
0006959340.tif 000003
【００９７】
表２の結果は、ｅＰＴＦＥ粒子バリア層を含む例（６）が清浄化される能力が商業的代替品よりもずっと大きいことを示している。
【００９８】
摩擦試験
【００９９】
幾つかのサンプルの摩擦係数は、IMass 2100を使用し、摩擦基材として3M（商標） BUMPON（商標）保護製品ロールストックを使用して測定した。Ｇｒｅｅｎ Ｍｏｕｎｔａｉｎ ｋｎｉｔｔｉｎｇからの２．５４ｃｍ幅ストリップのＮｏｍｅｘ／Ｌｅｎｚｉｎｇブレンド編布の摩擦係数を、たて方向及びよこ方向の両方で測定した。布帛ストリップは試験サンプルが試験全体にわたって試験表面と接触していることを確保するためにスレッドの周囲に巻いた。同じブレンド編布材料を使用して、幅約１３ミリメートルの特注製造のシリコーンエラストマーのストリップを編布テキスタイルに適用し、ストリップを１０日間かけて硬化させた。シリコーンストリップの摩擦係数を上記と同じ技術を用いて測定した。各試験は、定常状態での摩擦係数の２５６０回の測定からなり、結果はこれらの測定の平均を表す。試験結果は表３に見ることができる。
【表３】
0006959340.tif 000004
【０１００】
当業者は、本開示の様々な態様は意図した機能を発揮するように構成された任意の数の方法及び装置によって実現されうることを容易に理解するであろう。また、本明細書に参照された添付の図面は必ずしもスケール通りに描かれておらず、本開示の様々な態様を例示するように誇張されている可能性があり、その点で、図面の図は限定的なものとして解釈されるべきではないことに留意されたい。
【０１０１】
煙テスト
【０１０２】
液体霧機（Shenzhen Qiaohua Industries Limitedから入手可能なモデルＦＭ１０００−Ａ）を使用することにより、煙が縫い合わせたシームを通して通過する能力を観察した。６０ミリメートルの開口部を可能にする試料ホルダーを液体霧機の前に取り付けた。サンプルに応じて、圧力降下を０．２２インチ（５．６ミリメートル）Ｈ２Ｏ〜０．４４インチ（１１．１ミリメートル）Ｈ２Ｏに調整した。例（７）は、粒子バリア層として機能する例（４）とともに、最も内側の層及び最も外側の層がＮＯＭＥＸ（登録商標）編布（パート番号C18-14161138、Majestic Fire Apparel, Lehighton, Pennsylvaniaから入手可能）である三層構造であった。材料を通してシームが走っている例（４）の材料は内側及び外側のＮＯＭＥＸ（登録商標）編布層の間に挟まれていた。各内側層及び外側層のシーム付きサンプルを製造するために、ＮＯＭＥＸ（登録商標）編布の２つの片は単純なシームを用いて縫い合わされた。次いで、縫い代をオーバーロックステッチで縫った。最後に、縫い代を両面３スレッドカバーステッチで固定した。バリア層については、例（４）の２片を単純なシーム、次いで、縫い代のオーバーロックステッチによって縫い合わせた。各内側層及び外側層はシーム及びＮＯＭＥＸ（登録商標）編布を含んだ。各層のシームを含む３つの層は互いの上にスタックされ、そして試験治具内に配置された。比較例Ａは、仕上がりフードのＩｎｎｏｔｅｘ Ｇｒａｙ（Innotex, Ohatchee, Alabamaから入手可能）から取ったシーム、粒子遮断層としてのＳｔｅｄａｉｒ ＰＲＥＶＥＮＴ（登録商標）、及び１層の編布からなった。試験した比較フードの一部は両方の層を通して縫い合わせて単純なシームを形成している２つの層を含み、試験治具内に配置した。
【０１０３】
各サンプルは、試験治具において、外側表面が煙の上流側に面するように向けられた。例（７）では、これは、ＮＯＭＥＸ＿Ｌｅｎｚｉｎｇ編布の層の１つであり、そして比較Ａでは、これは編布層であった。サンプルは、ＮＦＰＡ １８５１−２０１４年版（セクション7.3）にしたがって、作製したまま又は受け取ったまま及び１００回洗浄後に試験した。サンプルを上流スモークに最短１０秒間さらし、サンプルを通過してくる煙の視覚指示のために下流側（観察者に見える）で観察した。
【０１０４】
【表４】
0006959340.tif 000005
【０１０５】
煙が材料自体を通過しなかったことを確認するために、シームなしの比較Ａを試験した。目に見える煙は観察されなかった。
【０１０６】
表４の結果は、オフセットした複数のシームは、粒子遮断層を含む１つ以上の層での単一のシームと比較して、複数の独立したシーム（粒子遮断層を通るシームを含む）が存在するサンプルを通過する煙が大きく低減することを示している。
【０１０７】
本出願の発明は、一般的にも特定の実施態様に関しても上記に記載されてきた。開示の範囲から逸脱することなく、実施形態に対して様々な変更及び変形を行うことができることは当業者に明らかであろう。したがって、実施形態は、添付の特許請求の範囲及びそれらの均等の範囲内で提供される本発明の変更形態及び変形形態を網羅することが意図されている。
（態様）
（態様１）
第一の層及び前記第一の層を少なくとも部分的にカバーする粒子バリア層を含む、着用者用フードであって、
前記粒子バリア層は着用者に向けられた内側表面及び前記内側表面の反対側の粒子収集面を含み、そして
前記フードは、
ａ）顔面開口部を画定している第一の周縁を含む頭部であって、前記第一の層及び粒子バリア層は前記第一の周縁の少なくとも一部に沿って結合されている、頭部と、
ｂ）首開口部を画定している第二の周縁を含むのど当て部であって、前記第一の層及び粒子バリア層は前記第二の周縁の少なくとも一部に沿って結合されている、のど当て部と、
を含み、
前記粒子収集面はアクセス可能である、フード。
（態様２）
第一の層及び前記第一の層を少なくとも部分的にカバーする粒子バリア層を含む、着用者用フードであって、
前記粒子バリア層は着用者に向けられた内側表面及び前記内側表面の反対側の粒子収集面を含み、そして
前記フードは、
ａ）顔面開口部を画定している第一の周縁を含む頭部であって、前記第一の層及び粒子バリア層は前記第一の周縁の少なくとも一部に沿って結合されている、頭部と、
ｂ）首開口部を画定している第二の周縁を含むのど当て部であって、前記第一の層及び粒子バリア層は前記第二の周縁の少なくとも一部に沿って結合されている、のど当て部と、
を含み、
前記フードは、内側表面、及び、前記顔面開口部の第一の周縁に隣接して前記内側表面に接着されている耐熱性エラストマーを含む、フード。
（態様３）
前記第一の層はテキスタイル層を含む、態様１又は２記載のフード。
（態様４）
前記フードは、内側表面、及び、前記顔面開口部の第一の周縁に隣接して前記内側表面に接着されている耐熱性エラストマーを含む、態様１記載のフード。
（態様５）
前記第一の層は前記粒子収集面に隣接しており、そして前記のど当て部及び／又は頭部は少なくとも１つのアパチャを含み、前記粒子バリア層の前記粒子収集面へのアクセスを提供する、態様１〜３のいずれか１項記載のフード。
（態様６）
前記アパチャは前記第一の層と前記粒子バリア層との間の前記第二の周縁の少なくとも一部に沿った位置にある、態様５記載のフード。
（態様７）
前記アパチャは前記粒子収集面が前記フードの外側になるように前記フードを反転させるのに十分な寸法を有する、態様５又は６記載のフード。
（態様８）
前記粒子バリア層は、使用時に、前記粒子収集面が前記フードの外側になるように向けられている、態様１〜４のいずれか１項記載のフード。
（態様９）
前記粒子バリア層の前記内側表面は基材にラミネート化されている、態様１〜７のいずれか１項記載のフード。
（態様１０）
前記フードは、
ｉ）前記粒子バリア層が前記第一の層と第二の層の間にある、第二の層、又は、
ｉｉ）前記第一の層が前記粒子バリア層と第二の層との間にある、第二の層、又は、
ｉｉｉ）前記第一の層及び前記粒子バリア層が第二の層と第三の層との間にある、第二の層及び第三の層、
をさらに含む、態様１〜８のいずれか１項記載のフード。
（態様１１）
前記層のうちの少なくとも１つの層は難燃性テキスタイル層である、態様１〜９のいずれか１項記載のフード。
（態様１２）
前記粒子バリア層は、スティッチング、接着剤、ラミネート化又はそれらの組み合わせによって、前記第二の周縁の一部に沿って前記第一の層及び／又は少なくとも１つの他の層に結合されている、態様１〜１０のいずれか１項記載のフード。
（態様１３）
ｉ）前記第一の層及び前記第二の層は前記第二の周縁の少なくとも一部に沿って互いに結合されており、又は、
ｉｉ）前記第一の層、第二の層及び第三の層は前記第二の周縁の少なくとも一部に沿って互いに結合されている、
態様９〜１１のいずれか１項記載のフード。
（態様１４）
前記フードは２つ以上の粒子バリア層を含む、態様１〜１３のいずれか１項記載のフード。
（態様１５）
隣接している前記粒子バリア層、第一の層、第二の層及び／又は第三の層のうちの少なくとも２つの層は分離可能である、態様１〜１４のいずれか１項記載のフード。
（態様１６）
前記粒子バリア層の前記粒子収集面は粒状物を解放するように構成されている、態様１〜１５のいずれか１項記載のフード。
（態様１７）
前記粒子バリア層はフルオロポリマー材料、ポリウレタン材料又はポリエステル材料を含む、態様１〜１６のいずれか１項記載のフード。
（態様１８）
前記少なくとも１つのアパチャは、スリット、折り目、オーバーハング、ボタン、フックアンドループクロージャ、スナップ、ベルクロ（登録商標）ファスナー又はそれらの組み合わせを含む閉止可能な開口部である、態様１〜１７のいずれか１項記載のフード。
（態様１９）
前記耐熱性エラストマーは顔面マスクに係合するように構成されている、態様２〜１８のいずれか１項記載のフード。
（態様２０）
前記顔面開口部を画定している前記周縁は顔面開口部が顔面マスク上に適切に構成されていることの視覚インジケータを含む、態様１〜１９のいずれか１項記載のフード。
（態様２１）
前記フードの外側表面は色を備え、
ｉ）前記視覚インジケータは前記フードの外側表面の色とは異なる色を備えたシームであるか、又は、
ｉｉ）前記顔面開口部の周縁は前記フードの外側表面の色とは異なる色の糸を用いて縫製されたシームを備えている、態様２０記載のフード。
【図１】
0006959340.tif 000006
【図２ａ】
0006959340.tif 000007
【図２ｂ】
0006959340.tif 000008
【図２ｃ】
0006959340.tif 000009
【図２ｄ】
0006959340.tif 000010
【図２ｅ】
0006959340.tif 000011
【図２ｆ】
0006959340.tif 000012
【図３ａ】
0006959340.tif 000013
【図３ｂ】
0006959340.tif 000014
【図４】
0006959340.tif 000015
【図５】
0006959340.tif 000016